(57)【要約】【課題】料金収受機の中断状態における不要な電力消費と、ディスプレイのバックライト等の寿命の短命化とを防止する。【解決手段】有料道路の料金収受機が、作業中状態、中断状態、及び停止状態を含む勤務状態の入力を受け付ける勤務状態入力受付部と、勤務状態に応じてディスプレイの輝度を設定するディスプレイ輝度設定部と、を備え、ディスプレイ輝度設定部は、勤務状態として作業中状態が入力されると、ディスプレイの輝度を視認可能な標準輝度に設定し、勤務状態として中断状態が入力されると、ディスプレイの輝度を標準輝度よりも低い省電力輝度に設定する。【選択図】図３
2019121097.tif 000002
【特許請求の範囲】
【請求項１】
ディスプレイ、当該ディスプレイに電力を供給する電源、及び操作パネルを備える、有料道路の料金収受機であって、
前記電源がＯＮで収受員が料金収受処理を行う状態を示す作業中状態、前記電源がＯＮで前記収受員が料金収受処理を行わない状態を示す中断状態、及び前記電源がＯＦＦの状態を示す停止状態を含む勤務状態の入力を受け付ける勤務状態入力受付部と、
前記勤務状態に応じて前記ディスプレイの輝度を設定するディスプレイ輝度設定部と、
を備え、
前記ディスプレイ輝度設定部は、前記勤務状態として前記作業中状態が入力されると、前記ディスプレイの輝度を視認可能な標準輝度に設定し、前記勤務状態として前記中断状態が入力されると、前記ディスプレイの輝度を前記標準輝度よりも低い省電力輝度に設定する料金収受機。
【請求項２】
前記ディスプレイ輝度設定部は、前記勤務状態として前記中断状態が入力されると、前記ディスプレイにメッセージを表示させる請求項１に記載の料金収受機。
【請求項３】
前記ディスプレイ輝度設定部は、前記勤務状態として前記中断状態が入力されると、前記ディスプレイの輝度を時間経過と共に段階的に低くして最終的に前記省電力輝度に設定する請求項１又は請求項２に記載の料金収受機。
【請求項４】
前記ディスプレイの輝度の変更を指示する輝度変更指示の入力を受け付ける輝度変更指示入力受付部と、
前記輝度変更指示に応じて前記ディスプレイの輝度を変更するディスプレイ輝度変更部と、をさらに備え、
前記ディスプレイ輝度変更部は、直前に入力された前記勤務状態が前記作業中状態又は前記中断状態である場合に、前記輝度変更指示が入力されると、入力された前記輝度変更指示に応じて前記ディスプレイの輝度を変更する請求項１から請求項３のいずれか一項に記載の料金収受機。
【請求項５】
前記ディスプレイ輝度変更部は、前記ディスプレイの輝度の高低を切替える第１の輝度変更指示が前記輝度変更指示として入力される度に、前記ディスプレイの輝度を所定の第１の輝度及び前記第１の輝度よりも低い所定の第２の輝度の間で切替え、
前記ディスプレイ輝度変更部は、前記ディスプレイの点灯及び消灯を切替える第２の輝度変更指示が前記輝度変更指示として入力される度に、前記ディスプレイを前記ディスプレイが点灯している状態及び前記ディスプレイが消灯している状態の間で切替える請求項４に記載の料金収受機。
【請求項６】
ディスプレイ、当該ディスプレイに電力を供給する電源、及び操作パネルを備える、有料道路の料金収受機におけるディスプレイ輝度設定方法であって、
前記電源がＯＮで収受員が料金収受処理を行う状態を示す作業中状態、前記電源がＯＮで前記収受員が料金収受処理を行わない状態を示す中断状態、及び前記電源がＯＦＦの状態を示す停止状態を含む勤務状態の入力を受け付ける勤務状態入力受付ステップと、
前記勤務状態に応じて前記ディスプレイの輝度を設定するディスプレイ輝度設定ステップと、
を備え、
前記ディスプレイ輝度設定ステップは、前記勤務状態として前記作業中状態が入力されると、前記ディスプレイの輝度を視認可能な標準輝度に設定し、前記勤務状態として前記中断状態が入力されると、前記ディスプレイの輝度を前記標準輝度よりも低い省電力輝度に設定するディスプレイ輝度設定方法。
【請求項７】
ディスプレイ、当該ディスプレイに電力を供給する電源、及び操作パネルを備える、有料道路の料金収受機としてのコンピュータを、
前記電源がＯＮで収受員が料金収受処理を行う状態を示す作業中状態、前記電源がＯＮで前記収受員が料金収受処理を行わない状態を示す中断状態、及び前記電源がＯＦＦの状態を示す停止状態を含む勤務状態の入力を受け付ける勤務状態入力受付部と、
前記勤務状態に応じて前記ディスプレイの輝度を設定するディスプレイ輝度設定部と、
して機能させるディスプレイ輝度設定プログラムであって、
前記ディスプレイ輝度設定部は、前記勤務状態として前記作業中状態が入力されると、前記ディスプレイの輝度を視認可能な標準輝度に設定し、前記勤務状態として前記中断状態が入力されると、前記ディスプレイの輝度を前記標準輝度よりも低い省電力輝度に設定するディスプレイ輝度設定プログラム。
【発明の詳細な説明】
【技術分野】
【０００１】
本発明は、料金収受機、ディスプレイ輝度設定方法及びディスプレイ輝度設定プログラムに関する。
【背景技術】
【０００２】
高速道路等の有料道路には、利用者から料金を徴収する為に料金所ブースが設置されている。料金所ブースに設けられる料金収受システムには、大きく分けて無人式と有人式の２種類が存在する。無人式の料金収受システムは、一般に電子式料金収受システム（Electronic Toll Collection System；ＥＴＣ（登録商標）、「自動料金収受システム」とも言う）と呼ばれ、無線通信を利用して自動的に利用者からの料金収受処理が行われる為、通常は料金所ブースが無人になっている。一方、有人の料金収受システムでは、料金所ブースに設けられた料金収受機を用いて、収受員が通行車両に乗車している利用者からの料金収受処理を行う。
【０００３】
例えば、特許文献１には、有人の料金収受システムで用いられる料金収受機の一例が開示されている。特許文献１に示されるように、従来の料金収受機は、収受員による料金収受処理に必要な車種判別情報等の情報を表示するディスプレイを備えている。また、料金収受機によっては、情報を表示するだけではなく、操作が可能なタッチパネル式のディスプレイを備えている。料金所ブース内の収受員は、料金収受機が備えるディスプレイに表示される情報に基づいて、適切に料金収受処理を行うことができる。
【先行技術文献】
【特許文献】
【０００４】
【特許文献１】特開２００２−２１６１８３号公報
【発明の概要】
【発明が解決しようとする課題】
【０００５】
しかしながら、収受員は、必ずしも常時、料金所ブース内で料金収受処理を行っているとは限らない。例えば、収受員が休憩等で離席する場合、又は収受員が交代する場合等には、収受員は料金収受処理を中断する。この場合には、料金収受機は中断状態に設定される。また、無人式のＥＴＣによる料金所ブースは、通常は無人になっているものの、トラブルが発生した場合に、いつでも収受員が対応できるように中断状態に設定された料金収受機が準備されていることがある。このように料金収受機が中断状態に設定されている場合、従来の料金収受機では、ディスプレイが料金収受処理時と同じ高輝度のままで維持される為、消費電力が高くなってしまう可能性がある。さらに、従来の料金収受機では、ディスプレイが高輝度のまま、長時間放置されることにより、ディスプレイのバックライト等の寿命が短命化する可能性がある。
【０００６】
従って、料金収受機の中断状態における不要な電力消費と、ディスプレイのバックライト等の寿命の短命化とを防止できる料金収受機の技術が望まれている。本発明の目的は、消費電力を低減し、ディスプレイのバックライト等の寿命を延ばすことができる料金収受機、ディスプレイ輝度設定方法及びディスプレイ輝度設定プログラムを提供することにある。
【課題を解決するための手段】
【０００７】
本発明の第１の態様によれば、料金収受機（１０）は、ディスプレイ（２１）、当該ディスプレイに電力を供給する電源（２２）、及び操作パネル（２３）を備える、有料道路の料金収受機であって、前記電源がＯＮで収受員が料金収受処理を行う状態を示す作業中状態（Ｃ２）、前記電源がＯＮで前記収受員が料金収受処理を行わない状態を示す中断状態（Ｃ３）、及び前記電源がＯＦＦの状態を示す停止状態（Ｃ１）を含む勤務状態の入力を受け付ける勤務状態入力受付部（４３）と、前記勤務状態に応じて前記ディスプレイの輝度を設定するディスプレイ輝度設定部（４４）と、を備え、前記ディスプレイ輝度設定部は、前記勤務状態として前記作業中状態が入力されると、前記ディスプレイの輝度を視認可能な標準輝度に設定し、前記勤務状態として前記中断状態が入力されると、前記ディスプレイの輝度を前記標準輝度よりも低い省電力輝度に設定する。
この構成により、例えば収受員が休憩等で料金収受機から離席し、料金収受機が中断状態に設定される間、ディスプレイの輝度を、料金収受処理を行う際の視認可能な輝度である標準輝度よりも低い省電力輝度に設定することで、料金収受機の不要な電力消費と、ディスプレイのバックライト等の寿命の短命化とを防止できる。特に、ＥＴＣ等に設けられた料金所ブース内の料金収受機等のように、長時間、中断状態に設定される場合において、効果的に料金収受機の消費電力を低減し、ディスプレイのバックライト等の寿命を延ばすことができる。
【０００８】
本発明の第２の態様によれば、第１の態様に係る料金収受機（１０）において、前記ディスプレイ輝度設定部（４４）は、前記勤務状態として前記中断状態（Ｃ３）が入力されると、前記ディスプレイ（２１）にメッセージを表示させてよい。
この構成により、収受員が料金収受機を中断状態に設定した場合に、料金収受機が中断状態に設定変更されたことを容易に確認できる。特に、収受員が休憩等で離席する場合には、料金収受機を中断状態に設定し損なう事態や設定し忘れてしまう事態を防止することができる。さらに、ディスプレイにメッセージとして表示させるので、料金収受機の設定変更を収受員が瞬時に判断することができる。
【０００９】
本発明の第３の態様によれば、第１又は第２の態様に係る料金収受機（１０）において、前記ディスプレイ輝度設定部（４４）は、前記勤務状態として前記中断状態（Ｃ３）が入力されると、前記ディスプレイ（２１）の輝度を時間経過と共に段階的に低くして最終的に前記省電力輝度に設定してよい。
この構成により、収受員が料金収受機を中断状態に設定した場合に、料金収受機が中断状態に設定変更されたことを容易に確認できる。特に、収受員が休憩等で離席する場合には、料金収受機を中断状態に設定し損なう事態や設定し忘れてしまう事態を防止することができる。さらに、ディスプレイの輝度を段階的に低くするのでディスプレイ全体の変化により料金収受機の設定変更を収受員が瞬時に判断することができる。
【００１０】
本発明の第４の態様によれば、第１から第３の態様のいずれかの態様に係る料金収受機（１０）は、前記ディスプレイ（２１）の輝度の変更を指示する輝度変更指示の入力を前記操作パネル（２３）を通じて受け付ける輝度変更指示入力受付部（４５）と、前記輝度変更指示に応じて前記ディスプレイの輝度を変更するディスプレイ輝度変更部（４６）と、をさらに備え、前記ディスプレイ輝度変更部は、直前に入力された前記勤務状態が前記作業中状態（Ｃ２）又は前記中断状態（Ｃ３）である場合に、前記輝度変更指示が入力されると、入力された前記輝度変更指示に応じて前記ディスプレイの輝度を変更してよい。
この構成により、収受員が料金収受機を作業中状態又は中断状態に設定し、ディスプレイの輝度が標準輝度又は省電力輝度に設定された後に、状況に応じてさらにディスプレイの輝度を変更することができる。
【００１１】
本発明の第５の態様によれば、第４の態様に係る料金収受機（１０）において、前記ディスプレイ輝度変更部（４６）は、前記ディスプレイ（２１）の輝度の高低を切替える第１の輝度変更指示が前記輝度変更指示として入力される度に、前記ディスプレイの輝度を所定の第１の輝度及び前記第１の輝度よりも低い所定の第２の輝度の間で切替え、前記ディスプレイ輝度変更部は、前記ディスプレイの点灯及び消灯を切替える第２の輝度変更指示が前記輝度変更指示として入力される度に、前記ディスプレイを前記ディスプレイが点灯している状態及び前記ディスプレイが消灯している状態の間で切替えてよい。
この構成により、収受員が料金収受機を作業中状態又は中断状態に設定し、ディスプレイの輝度が標準輝度又は省電力輝度に設定された後に、状況に応じてさらにディスプレイの輝度を変更することができる。特に、ディスプレイの輝度を変更する際に、輝度の高低を切替えることにより輝度の変更を行っているので、より短時間且つより容易に輝度の変更が可能である。さらに、ディスプレイの輝度の高低の切替えと、ディスプレイの点灯及び消灯の切替えとの両方を行うことができる為、状況に応じてさらに細かくディスプレイの輝度を変更することができる。
【００１２】
本発明の第６の態様によれば、ディスプレイ輝度設定方法は、ディスプレイ、当該ディスプレイに電力を供給する電源、及び操作パネルを備える、有料道路の料金収受機におけるディスプレイ輝度設定方法であって、前記電源がＯＮで収受員が料金収受処理を行う状態を示す作業中状態、前記電源がＯＮで前記収受員が料金収受処理を行わない状態を示す中断状態、及び前記電源がＯＦＦの状態を示す停止状態を含む勤務状態の入力を受け付ける勤務状態入力受付ステップ（Ｓ１０１、Ｓ１０３、Ｓ１０６、Ｓ１０６、Ｓ０８）と、前記勤務状態に応じて前記ディスプレイの輝度を設定するディスプレイ輝度設定ステップ（Ｓ１０２、Ｓ１０４）と、を備え、前記ディスプレイ輝度設定ステップは、前記勤務状態として前記作業中状態が入力されると、前記ディスプレイの輝度を視認可能な標準輝度に設定し、前記勤務状態として前記中断状態が入力されると、前記ディスプレイの輝度を前記標準輝度よりも低い省電力輝度に設定する。
この構成により、例えば収受員が休憩等で料金収受機から離席し、料金収受機が中断状態に設定される間、ディスプレイの輝度を、料金収受処理を行う際の視認可能な輝度である標準輝度よりも低い省電力輝度に設定することで、料金収受機の不要な電力消費と、ディスプレイのバックライト等の寿命の短命化とを防止できる。特に、ＥＴＣ等に設けられた料金所ブース内の料金収受機等のように、長時間、中断状態に設定される場合において、効果的に料金収受機の消費電力を低減し、ディスプレイのバックライト等の寿命を延ばすことができる。
【００１３】
本発明の第７の態様によれば、ディスプレイ輝度設定プログラムは、ディスプレイ、当該ディスプレイに電力を供給する電源、及び操作パネルを備える、有料道路の料金収受機としてのコンピュータ（９）を、前記電源がＯＮで収受員が料金収受処理を行う状態を示す作業中状態、前記電源がＯＮで前記収受員が料金収受処理を行わない状態を示す中断状態、及び前記電源がＯＦＦの状態を示す停止状態を含む勤務状態の入力を受け付ける勤務状態入力受付部（４３）と、前記勤務状態に応じて前記ディスプレイの輝度を設定するディスプレイ輝度設定部（４４）と、して機能させるディスプレイ輝度設定プログラムであって、前記ディスプレイ輝度設定部は、前記勤務状態として前記作業中状態が入力されると、前記ディスプレイの輝度を視認可能な標準輝度に設定し、前記勤務状態として前記中断状態が入力されると、前記ディスプレイの輝度を前記標準輝度よりも低い省電力輝度に設定する。
この構成により、例えば収受員が休憩等で料金収受機から離席し、料金収受機が中断状態に設定される間、ディスプレイの輝度を、料金収受処理を行う際の視認可能な輝度である標準輝度よりも低い省電力輝度に設定することで、料金収受機の不要な電力消費と、ディスプレイのバックライト等の寿命の短命化とを防止できる。特に、ＥＴＣ等に設けられた料金所ブース内の料金収受機等のように、長時間、中断状態に設定される場合において、効果的に料金収受機の消費電力を低減し、ディスプレイのバックライト等の寿命を延ばすことができる。
【発明の効果】
【００１４】
上記態様のうち少なくとも１つの態様によれば、料金収受機の中断状態における不要な電力消費と、ディスプレイのバックライト等の寿命の短命化とを防止することができる。
【図面の簡単な説明】
【００１５】
【図１】第１の実施形態に係る料金収受機を備える料金所施設の全体構成を示す概略図である。
【図２】第１の実施形態に係る料金収受機の全体構成を示す概略図である。
【図３】第１の実施形態に係る料金収受機の制御部の構成を説明するブロック図である。
【図４】第１の実施形態に係る料金収受機を用いた勤務状態を説明する説明図である。
【図５】第１の実施形態に係る料金収受機の動作を説明する説明図である。
【図６】第１の実施形態に係る料金収受機の輝度設定動作を示すフローチャートである。
【図７Ａ】第１の実施形態に係る料金収受機の一勤務状態における状況を説明する説明図である。
【図７Ｂ】第１の実施形態に係る料金収受機の一勤務状態における状況を説明する説明図である。
【図７Ｃ】第１の実施形態に係る料金収受機の一勤務状態における状況を説明する説明図である。
【図８】第１の実施形態の第１の変形実施例に係る料金収受機の動作を説明する説明図である。
【図９】第１の実施形態の第２の変形実施例に係る料金収受機の輝度変更動作を示すフローチャートである。
【図１０】少なくとも１つの実施形態に係るコンピュータの構成を示す概略ブロック図である。
【発明を実施するための形態】
【００１６】
＜第１の実施形態＞
以下、第１の実施形態について図面を参照しながら説明する。すべての図面において同一または相当する構成には同一の符号を付し、共通する説明は省略する。
【００１７】
（第１の実施形態に係る料金収受機を備える料金所施設の全体構成）
図１は、第１の実施形態に係る料金収受機１０を備える料金所施設１の全体構成を示す概略図である。方向を説明する為に、図１においては、右手系のｘｙｚ座標系が規定されている。このｘｙｚ座標系では、±ｚ方向は鉛直方向と平行であり、±ｘ方向及び±ｙ方向はいずれも水平方向と平行であり、±ｘ方向、±ｙ方向、及び±ｚ方向の３方向は互いに直交している。
以下の説明において、料金所施設１に敷設された車線Ｌが延在する方向を±ｘ方向とし、「車線方向」とも記載する。また、水平面内において車線方向（±ｘ方向）に直交する方向を±ｙ方向とし、「車線幅方向」とも記載する。また、−ｘ方向を「車線方向奥側」、＋ｘ方向を「車線方向手前側」とも記載する。更に、水平面に直交する方向を±ｚ方向とし、「鉛直方向」とも記載する。
【００１８】
第１の実施形態に係る料金収受機１０は、例えば、高速道路等の有料道路の出入口等に設置される料金所施設１に設けられる。図１に示すように、車線Ｌは少なくとも料金所施設１が設けられる範囲では直線的に形成されている。料金所施設１は、車線Ｌに沿った所定位置における車線Ｌの傍に設けられた有人式の箱型の料金所ブース７を備えている。料金所ブース７は、ＥＴＣが適用された車線に備えられていてもよい。図１に示す車線Ｌは、車線方向手前側（＋ｘ方向）に進むと高速道路に接続され、車線方向奥側（−ｘ方向）に進むと一般道路に接続されている。図１に示す車両Ａは、高速道路から一般道路に向かって進行方向Ｆ、即ち、車線方向奥側（−ｘ方向）に進行している。なお、第１の実施形態では、車線Ｌの両脇は、少なくとも料金所施設１が設けられる範囲では、鉛直方向（±ｚ方向）の高さが車線Ｌよりも高い高台６（アイランド）になっている。
【００１９】
第１の実施形態に係る料金収受機１０は、料金所ブース７の内部に設けられている。料金所ブース７の内部には、料金収受機１０以外にも、料金所ブース７内の収受員Ｍが料金収受処理を行う為に必要な領収書発行機（図示せず）、及び車両台数計測器（図示せず）等が設けられていてよい。これにより、料金所ブース７内の収受員Ｍは、料金収受機１０等を用いて、車線Ｌに沿って進行方向Ｆ（−ｘ方向）に進行して所定位置に進入し、料金所ブース７の真横に一時停止している車両Ａの利用者から、高速道路等の有料道路の利用料金を収受する料金収受処理を行うことができる。
【００２０】
料金所施設１は、図１に示すように、車線Ｌに沿って進行方向Ｆに進行する車両Ａの所定位置への進入を検知する車両進入検知装置２（２Ａ、２Ｂ）と、車両Ａの所定位置からの退出を検知する車両退出検知装置３（３Ａ、３Ｂ）とを備えている。第１の実施形態では、車線Ｌに沿った所定位置は、例えば、車両進入検知装置２から車両退出検知装置３までの間の車線Ｌの領域として規定されてよい。
【００２１】
車両進入検知装置２及び車両退出検知装置３は、例えば、透過式の車両検知器であってよい。透過式の車両進入検知装置２は、車線Ｌに沿った同じ位置に対向して設けられた投光器２Ａ及び受光器２Ｂで構成され、投光器２Ａから投光された検知光を受光器２Ｂで受光できるか否かに基づいて車両Ａの進入を検知する。透過式の車両退出検知装置３は、車両進入検知装置２と同様に、車線Ｌに沿った同じ位置に対向して設けられた投光器３Ａ及び受光器３Ｂで構成され、投光器３Ａから投光された検知光を受光器３Ｂで受光できるか否かに基づいて車両Ａの退出を検知する。なお、投光器２Ａ、投光器３Ａとしては、例えば、ＬＥＤ光源等が用いられる。また、車両進入検知装置２及び車両退出検知装置３は、例えば、レーザスキャン型等の反射式の車両検知器のように、透過式以外の車両検知器が用いられてもよい。車両進入検知装置２及び車両退出検知装置３は、車線Ｌに沿った車両Ａの流れを統制する為の車線制御装置（図示せず）に接続され、車線制御装置により制御されてよい。
【００２２】
料金所施設１は、図１に示すように、所定位置から車両Ａが退出することを規制する為の棒状の規制バーを有する発進制御機４を備えている。発進制御機４は、規制バーを回転駆動させることにより、規制バーの位置を、車両Ａの退出を抑止する規制位置と、車両Ａの退出を邪魔しない解除位置との間で切替えることができるようになっている。規制バーは、規制位置では、規制バーの長手方向が車線Ｌの車線幅方向（±ｙ方向）に平行になるように配置され、解除位置では、規制バーの長手方向が鉛直方向（±ｚ方向）に平行になるように配置される。発進制御機４は、車線制御装置（図示せず）に接続され、車線制御装置により制御されてよい。
【００２３】
料金所施設１は、図１に示すように、進行方向Ｆ（−ｘ方向）に進行して所定位置に進入した車両Ａを正面から撮影することができる撮影装置５（ＩＴＶカメラ）を車線Ｌの外で車両退出検知装置３付近に備えている。撮影装置５により撮影された車両Ａの画像は、料金収受機１０のモニタ（後述するディスプレイ２１）に表示され、収受員Ｍによる料金収受処理等に用いられる。
【００２４】
（第１の実施形態に係る料金収受機の全体構成）
図２は、第１の実施形態に係る料金収受機１０の全体構成を示す概略図である。図２に示すように、料金収受機１０は、料金収受処理に必要な情報を表示する表示部２０、収受員Ｍによる料金収受処理の操作が入力される操作部３０、料金収受機全体を制御する制御部４０、及びＩＣカードリーダ５０を備えている。また、料金収受機１０は、外部電源６０及び車線制御装置（図示せず）に接続されている。
【００２５】
表示部２０は、液晶（ＬＣＤ）等のディスプレイ２１、ディスプレイ２１に電力を供給する内蔵式の電源２２、及びディスプレイ２１の操作等が可能な操作パネル２３を備えている。ディスプレイ２１は、例えば、有機ＬＥＤ（ＯＬＥＤ）又はプラズマ等の液晶（ＬＣＤ）以外のディスプレイであってよい。ディスプレイ２１は、例えば、タッチパネル式のディスプレイであってもよいし、タッチパネル非対応のディスプレイであってよい。ディスプレイ２１には、例えば、車線制御装置（図示せず）を介して撮影装置５から入力される車両Ａの画像等が表示されてよい。表示部２０の電源２２は、内蔵式以外の外付け式であってもよい。本実施形態においては、ディスプレイ２１は、液晶ディスプレイ（ＬＣＤ）であるものとして説明する。
【００２６】
第１の実施形態では、ディスプレイ２１は、制御部４０による制御に基づいて輝度を０％（最低輝度）から１００％（最高輝度）までの間で任意の輝度に１％刻みで変更することができるようになっている。ＬＣＤであるディスプレイ２１は、バックライトに供給される電力（駆動電流）の大小により輝度を調整可能とされる。第１の実施形態では、例えば、ディスプレイ２１のバックライトに供給される電力が所定の最低電力である場合にディスプレイ２１の輝度が０％（最低輝度）と規定され、ディスプレイ２１のバックライトに供給される電力が所定の最高電力である場合にディスプレイ２１の輝度が１００％（最高輝度）と規定される。
【００２７】
また、ディスプレイ２１は、制御部４０による制御に基づいてディスプレイ２１が点灯している状態（以下、「点灯状態」とも記載する。）と、ディスプレイ２１が消灯している状態（以下、「消灯状態」とも記載する。）と、を切替えることができるようになっている。第１の実施形態では、電源２２からディスプレイ２１のバックライトに上記最低電力以上の電力が供給され、０％から１００％の何れかの輝度が維持されている状態が点灯状態として規定される。また、電源２２からディスプレイ２１のバックライトに電力が供給されていない状態が消灯状態として規定される。
【００２８】
ディスプレイ２１に電力を供給する電源２２には、制御部４０を介して外部電源６０から電力が供給されている。電源２２は、ディスプレイ２１に電力を供給しているＯＮの状態と、ディスプレイ２１に電力を供給していないＯＦＦの状態とを、制御部４０の制御により切替えることができるようになっている。
【００２９】
第１の実施形態では、表示部２０は、ディスプレイ２１と一体型の操作パネル２３とを備えている。操作パネル２３はディスプレイ２１に向かって右側に設けられている。ディスプレイ２１の操作パネル２３は、料金収受機１０に設定されている収受員Ｍの勤務状態を示す第１の勤務状態表示灯２４及び第２の勤務状態表示灯２５と、料金収受機１０に設定されている収受員Ｍの勤務状態を切替えるロータリースイッチ２６と、ディスプレイ２１の輝度を変更する押しボタン２７とを備えている。
【００３０】
第１の勤務状態表示灯２４及び第２の勤務状態表示灯２５は、操作パネル２３の上部に設けられた円形状のＬＥＤ等の表示灯であってよい。第１の勤務状態表示灯２４及び第２の勤務状態表示灯２５は、制御部４０の制御に基づいて各々が点灯又は消灯することにより、後述する３パターンの収受員Ｍの勤務状態（停止状態Ｃ１、作業中状態Ｃ２、及び中断状態Ｃ３）のうち、いずれの勤務状態が料金収受機１０に設定されているかを示す。具体的には、停止状態Ｃ１では、第１の勤務状態表示灯２４及び第２の勤務状態表示灯２５が共に消灯している。作業中状態Ｃ２では、第１の勤務状態表示灯２４が消灯しており、第２の勤務状態表示灯２５が点灯している。中断状態Ｃ３では、第１の勤務状態表示灯２４が点灯しており、第２の勤務状態表示灯２５が消灯している。なお、第１の実施形態では、第１の勤務状態表示灯２４は点灯時に赤色に点灯し、第２の勤務状態表示灯２５は点灯時に青色に点灯するようになっているが、点灯時の色は任意の所定の色であってよい。
【００３１】
ロータリースイッチ２６は回転可能な円筒形状のつまみで構成され、操作パネル２３の上部において第１の勤務状態表示灯２４及び第２の勤務状態表示灯２５の下側に設けられている。ロータリースイッチ２６のつまみの円形表面上には、径方向に平行な棒線状の印が付けられており、つまみを回転させることにより時計の針のように棒線状の印の位置を変えることができるようになっている。第１の実施形態では、ロータリースイッチ２６は３ポジションスイッチであり、つまみを回転させ、棒線状の印の位置を３つの所定の位置の間で切替えて変更できるようになっている。これらの３つの所定の位置は、後述する３パターンの収受員Ｍの勤務状態（停止状態Ｃ１、作業中状態Ｃ２、及び中断状態Ｃ３）に各々対応しており、つまみを回転させて棒線状の印を３つの所定の位置のいずれかの位置にすることにより、対応する収受員Ｍの勤務状態を入力することができる。
【００３２】
具体的には、ロータリースイッチ２６のつまみを回転させ、棒線状の印を鉛直方向に平行な作業中位置（時計の１２時の方向の位置）にすることにより、作業中状態Ｃ２が収受員Ｍの勤務状態として料金収受機１０に入力される。ロータリースイッチ２６のつまみを回転させ、棒線状の印を鉛直方向に対して右側に４５度傾いている中断位置（時計の１時及び２時の方向のちょうど中間の位置）にすることにより、中断状態Ｃ３が収受員Ｍの勤務状態として料金収受機１０に入力される。なお、第１の実施形態では、ロータリースイッチ２６のつまみを回転させ、棒線状の印を鉛直方向に対して左側に４５度傾いている停止位置（時計の１０時及び１１時の方向のちょうど中間の位置）にした場合には、停止状態Ｃ１が収受員Ｍの勤務状態として料金収受機１０に入力される。ロータリースイッチ２６により切替えられた収受員Ｍの勤務状態は、料金収受機１０の制御部４０（勤務状態入力受付部４３）に入力される。
【００３３】
押しボタン２７は四角形状の押しボタンであり、操作パネル２３の上部においてロータリースイッチ２６の下側に設けられている。押しボタン２７は、例えば１秒程度の所定時間以下の時間の間、押下された場合の短押しと、当該所定時間を超えて押下された場合の長押しと、の２種類の押下操作が可能になっている。具体的には、料金収受機１０に設定されている現在の勤務状態が作業中状態Ｃ２又は中断状態Ｃ３である場合、即ち、ロータリースイッチ２６のつまみの棒線状の印が作業中位置又は中断位置になっている場合には、押しボタン２７が短押しされた場合にはディスプレイ２１の輝度の高低を切替える第１の輝度変更指示が、制御部４０（輝度変更指示入力受付部４５）に入力され、押しボタン２７が長押しされた場合にはディスプレイ２１の点灯及び消灯を切替える第２の輝度変更指示が、制御部４０（輝度変更指示入力受付部４５）に入力される。一方、ロータリースイッチ２６のつまみの棒線状の印が停止位置になっている場合には、短押しの操作のみが入力として有効であり、収受員Ｍが棒線状の印を停止位置に合わせてから押しボタン２７を短押しすることにより、電源断指示が制御部４０（輝度変更指示入力受付部４５）に入力される。制御部４０は、電源断指示を受け付けた場合に、電源２２をＯＦＦ状態に切替えられる。ここで、電源２２をＯＦＦ状態とする際に、ロータリースイッチ２６を停止位置に合わせることに加えて押しボタン２７の短押し入力を必要としているのは、収受員Ｍが誤ってロータリースイッチ２６のつまみを停止位置に合わせてしまった場合に、当該操作だけで電源２２がＯＦＦ状態にされてしまうことを防止する為である。
なお、他の実施形態においてはこの態様に限定されず、ロータリースイッチ２６を停止位置に合わせた場合には、直ちに（押しボタン２７への操作を介さずとも）、電源２２がＯＦＦ状態とされてもよい。
【００３４】
操作部３０は、例えば、訂正ボタン（図示せず）、クリアボタン（図示せず）、回数券ボタン（図示せず）、及び車種ボタン（図示せず）等の操作ボタンが設けられていてよい。車種ボタンは、例えば、軽自動車、大型車、中型車、及び普通車等の車種に関連付けられた複数のボタンであってよい。また、操作部３０には、料金収受処理の操作に必要なボタン以外の入力装置が設けられていてよい。収受員Ｍは、ディスプレイ２１に表示される画像等を見ながら操作部３０の操作ボタンの押下操作を行い、料金収受処理の操作を入力できるようになっている。
【００３５】
制御部４０は、図２に示すように、料金収受機１０の表示部２０、操作部３０、及びＩＣカードリーダ５０と、外部電源６０とに接続されている。制御部４０は、操作部３０から入力された情報に基づく料金収受処理、表示部２０から入力された情報に基づく表示部２０の表示処理、ＩＣカードリーダ５０から入力された収受員Ｍに関する収受員情報等の処理等、料金収受機１０全体の動作の制御を行っている。なお、制御部４０は、外部電源６０から入力される電力の制御も行っている。制御部４０の機能構成については、後述する。
【００３６】
ＩＣカードリーダ５０は、料金収受の際、利用者から受け取ったクレジットカード等のＩＣカードの読み出し及び書き込み処理を行う装装置である。また、本実施形態に係るＩＣカードリーダ５０は、更に、各収受員Ｍに関連付けられたＩＣカード５１に記録された収受員情報等の読み出し及び書き込みを行う。
第１の実施形態では、接触式のＩＣカードリーダ５０及びＩＣカード５１が用いられており、ＩＣカード５１が有するモジュール端子と、ＩＣカードリーダ５０が有するリーダ／ライタ端子とを接触させることで直接的に通信を行い、ＩＣカードリーダ５０がＩＣカード５１に記憶された収受員Ｍの収受員情報等の読み出し及び書き込みを行うようになっている。なお、ＩＣカードリーダ５０及びＩＣカード５１は、例えば、コイルが内蔵されているＩＣカード５１をＩＣカードリーダ５０から発生させる磁界にかざすことにより無線通信を行う等の非接触式のＩＣカードリーダ５０及びＩＣカード５１が用いられてもよい。
【００３７】
第１の実施形態では、料金所ブース７内の収受員Ｍが料金収受処理の勤務を開始する際に、自身の有するＩＣカード５１をＩＣカードリーダ５０に接触させることにより、ＩＣカード５１から収受員Ｍの収受員情報等のカード情報が読み出される。収受員Ｍの収受員情報は、例えば、所属情報、勤務時間情報等の料金収受処理に必要な情報であってよい。読み出されたカード情報はＩＣカードリーダ５０から制御部４０に入力され、制御部４０で収受員Ｍの料金収受機１０へのログイン処理及び勤務時間管理処理等が行われる。また、ＩＣカード５１には、収受員Ｍの勤務の開始時刻又は終了時刻等の勤務情報等が書き込まれてよい。
【００３８】
外部電源６０は、料金収受機１０の制御部４０に接続されている。外部電源６０は、制御部４０を介して料金収受機１０の表示部２０、操作部３０、及びＩＣカードリーダ５０に電力を供給していてよい。外部電源６０から表示部２０、操作部３０、及びＩＣカードリーダ５０に供給される電力は、制御部４０によって制御されてよい。第１の実施形態では、料金収受機１０の主電源（図示せず）がＯＮになっている状態では、料金収受機１０に接続されているＩＣカードリーダ５０への電力の供給がされており、上述したＩＣカードリーダ５０及びＩＣカード５１による収受員Ｍのログイン作業及び勤務時間管理処理が可能であってよい。
【００３９】
（第１の実施形態に係る料金収受機の制御部の機能構成）
図３は、第１の実施形態に係る料金収受機１０の制御部４０の構成を説明するブロック図である。図３に示すように、料金収受機１０が備える制御部４０は、制御部４０が、料金収受機１０が料金収受処理による制御を行う際に必要な制御情報等を記憶する制御情報記憶部４１と、操作部３０から入力される操作情報に基づいて所定位置に進入している車両Ａに関する料金収受処理を行う料金収受処理部４２と、後述する３パターンの収受員Ｍの勤務状態の入力を表示部２０の操作パネル２３を通じて受け付ける勤務状態入力受付部４３と、受け付けた勤務状態に応じてディスプレイ２１の輝度を設定するディスプレイ輝度設定部４４と、ディスプレイ２１の輝度の変更を指示する輝度変更指示の入力を、操作パネル２３を通じて受け付ける輝度変更指示入力受付部４５と、受け付けた輝度変更指示に応じてディスプレイ２１の輝度を変更するディスプレイ輝度変更部４６と、を備える。
【００４０】
制御情報記憶部４１は、例えば、勤務状態入力受付部４３が受け付けた勤務状態（停止状態Ｃ１、作業中状態Ｃ２、中断状態Ｃ３）、輝度変更指示入力受付部４５が受け付けた輝度変更指示（第１の輝度変更指示、第２の輝度変更指示）、ディスプレイ輝度変更部４６がディスプレイ２１の輝度の高低を切替える際の各輝度（第１の輝度、第２の輝度）等を記憶してよい。また、制御情報記憶部４１は、ディスプレイ輝度変更部４６がディスプレイ２１を消灯状態から再度点灯させる際に、消灯前の輝度に復帰させる目的で、当該消灯前の輝度を記憶してもよい。また、制御情報記憶部４１は、料金収受機１０が料金収受処理を行う為に必要なその他の情報を記憶してよい。
【００４１】
料金収受処理部４２には、収受員Ｍが操作部３０の車種ボタン等の操作ボタンを押下することにより、操作部３０から操作情報が入力される。料金収受処理部４２は、操作部３０から入力される操作情報に基づいて所定位置に進入している車両Ａに関する料金収受処理を行う。さらに、料金収受処理部４２は、操作部３０から入力される操作情報に加え、車線制御装置（図示せず）から入力される情報に基づいて料金収受処理を行ってよい。
【００４２】
勤務状態入力受付部４３は、後述する３パターンの収受員Ｍの勤務状態（停止状態Ｃ１、作業中状態Ｃ２、及び中断状態Ｃ３）の入力を表示部２０の操作パネル２３のロータリースイッチ２６を通じて受け付ける。勤務状態入力受付部４３は受け付けた収受員Ｍの勤務状態をディスプレイ輝度設定部４４に入力する。また、勤務状態入力受付部４３は受け付けた収受員Ｍの勤務状態を制御情報記憶部４１に記憶してよい。
【００４３】
ディスプレイ輝度設定部４４には、勤務状態入力受付部４３が受け付けた収受員Ｍの勤務状態が勤務状態入力受付部４３から入力される。具体的には、収受員Ｍがロータリースイッチ２６のつまみを回転させ、つまみの円形表面上の棒線状の印の位置を停止位置にすると、勤務状態として停止状態Ｃ１が勤務状態入力受付部４３を介してディスプレイ輝度設定部４４に入力される。同様に、収受員Ｍがロータリースイッチ２６のつまみを回転させ、つまみの棒線状の印の位置を作業中位置にすると、勤務状態として作業中状態Ｃ２が勤務状態入力受付部４３を介してディスプレイ輝度設定部４４に入力され、つまみの棒線状の印の位置を中断位置にすると、勤務状態として中断状態Ｃ３が勤務状態入力受付部４３を介してディスプレイ輝度設定部４４に入力される。
【００４４】
ディスプレイ輝度設定部４４は、勤務状態入力受付部４３から勤務状態として停止状態Ｃ１が入力され、さらに、押しボタン２７の短押し操作に基づき輝度変更指示入力受付部４５から電源断指示が入力されると、表示部２０の電源２２からディスプレイ２１への電力を制御し、電源２２をＯＦＦ状態にする。また、ディスプレイ輝度設定部４４は、操作パネル２３の第１の勤務状態表示灯２４及び第２の勤務状態表示灯２５を制御し、第１の勤務状態表示灯２４及び第２の勤務状態表示灯２５が共に消灯している状態にする。
【００４５】
一方、料金収受機１０に設定されている現在の勤務状態が停止状態Ｃ１である場合に、他の勤務状態（作業中状態Ｃ２又は中断状態Ｃ３）が入力されると、ディスプレイ輝度設定部４４は、表示部２０の電源２２をＯＮ状態とし、当該電源２２からディスプレイ２１へ電力を供給する。更に、ディスプレイ輝度設定部４４は、以下の制御を行う。
【００４６】
ディスプレイ輝度設定部４４は、勤務状態として作業中状態Ｃ２が入力されると、表示部２０の電源２２からディスプレイ２１のバックライトに供給される電力を制御し、ディスプレイ２１を視認可能な標準輝度に設定する。標準輝度としては、収受員Ｍがディスプレイ２１に表示される情報を視認可能な任意の輝度が規定されてよい。例えば、第１の実施形態では、標準輝度として１００％の輝度が規定されているが、例えば、８０％の輝度等、１００％以外のその他の視認可能な任意の輝度が標準輝度として規定されてよい。また、ディスプレイ輝度設定部４４は、勤務状態として作業中状態Ｃ２が入力されると、操作パネル２３の第１の勤務状態表示灯２４及び第２の勤務状態表示灯２５を制御し、第１の勤務状態表示灯２４が消灯し、第２の勤務状態表示灯２５が点灯している状態にする。
【００４７】
ディスプレイ輝度設定部４４は、勤務状態として中断状態Ｃ３が入力されると、表示部２０の電源２２からディスプレイ２１のバックライトに供給される電力を制御し、ディスプレイ２１の輝度を標準輝度よりも低い省電力輝度に設定する。省電力輝度としては、上述した標準輝度よりも低い任意の輝度が規定されてよい。例えば、第１の実施形態では、１０％の輝度が省電力輝度として規定されているが、５％の輝度のように、標準輝度である１００％の輝度よりも低いその他の任意の輝度が省電力輝度として設定されてよい。なお、消費電力をできるだけ低減させるようにできるだけ低い輝度を省電力輝度として規定することが好ましい。さらに、第１の実施形態では、ディスプレイ輝度設定部４４は、勤務状態として中断状態Ｃ３が入力されると、ディスプレイ２１に現在の勤務状態が作業中断状態であることを示すメッセージを表示させる。図５に示すように、例えば、メッセージは、ディスプレイ２１の画面に大きく表示される「作業中断中」というメッセージであってよいし、その他の任意の形状及び内容のメッセージであってよい。メッセージは、勤務状態として中断状態Ｃ３が入力されてから例えば５秒等の所定時間の間だけ表示させるようにしてよい。また、ディスプレイ輝度設定部４４は、勤務状態として中断状態Ｃ３が入力されると、操作パネル２３の第１の勤務状態表示灯２４及び第２の勤務状態表示灯２５を制御し、第１の勤務状態表示灯２４が点灯し、第２の勤務状態表示灯２５が消灯している状態にする。
【００４８】
輝度変更指示入力受付部４５は、ディスプレイ２１の輝度の変更を指示する輝度変更指示の入力を表示部２０の操作パネル２３の押しボタン２７を通じて受け付ける。
第１の実施形態では、料金収受機１０に設定されている現在の勤務状態が作業中状態Ｃ２又は中断状態Ｃ３である場合には、輝度変更指示入力受付部４５が受け付ける輝度変更指示は、ディスプレイ２１の輝度の高低を切替える第１の輝度変更指示、又はディスプレイ２１の点灯及び消灯を切替える第２の輝度変更指示である。輝度変更指示入力受付部４５は受け付けた第１の輝度変更指示又は第２の輝度変更指示をディスプレイ輝度変更部４６に入力する。輝度変更指示入力受付部４５は受け付けた第１の輝度変更指示又は第２の輝度変更指示を制御情報記憶部４１に記憶してよい。
輝度変更指示入力受付部４５は、収受員Ｍより電源断指示を受け付けた場合、当該電源断指示をディスプレイ輝度設定部４４に入力する。また、輝度変更指示入力受付部４５は受け付けた電源断指示を制御情報記憶部４１に記憶してよい。
【００４９】
ディスプレイ輝度変更部４６には、輝度変更指示入力受付部４５が受け付けた第１の輝度変更指示又は第２の輝度変更指示が輝度変更指示入力受付部４５から入力される。具体的には、収受員Ｍが操作パネル２３の押しボタン２７を短押しする度に、第１の輝度変更指示が輝度変更指示入力受付部４５を介してディスプレイ輝度変更部４６に入力される。同様に、収受員Ｍが操作パネル２３の押しボタン２７を長押しする度に、第２の輝度変更指示が輝度変更指示入力受付部４５を介してディスプレイ輝度変更部４６に入力される。
【００５０】
ディスプレイ輝度変更部４６は、第１の輝度変更指示が入力される度に、表示部２０の電源２２からディスプレイ２１のバックライトに供給される電力を制御し、ディスプレイ２１の輝度の高低を切替える。
具体的には、現在の勤務状態が作業中状態Ｃ２である場合には、ディスプレイ輝度変更部４６は、第１の輝度変更指示が入力される度にディスプレイ２１の輝度を標準輝度（１００％の輝度）と所定の待機輝度との間で高低を切替える。ここで、「待機輝度」とは、標準輝度よりも低い輝度（例えば、１０％の輝度）であって、料金収受機１０が作業中状態Ｃ２にある状態を維持しながらも、押しボタン２７への操作を介して一時的に輝度を下げる場合に適用される輝度である。
なお、料金収受機１０に設定されている現在の勤務状態が作業中状態Ｃ２である場合には、ディスプレイ２１の輝度が上述した標準輝度である状態が“ディスプレイ２１の輝度が高い状態”（所定の第１の輝度）に該当し、ディスプレイの輝度が上述した標準輝度より低い待機輝度である状態が“ディスプレイ２１の輝度が低い状態”（所定の第２の輝度）に該当する。
【００５１】
一方、料金収受機１０に設定されている現在の勤務状態が中断状態Ｃ３である場合には、ディスプレイ輝度変更部４６は、第１の輝度変更指示が入力される度にディスプレイ２１の輝度を省電力輝度（１０％の輝度）と所定の表示輝度との間で高低が切替えられる。
ここで、「表示輝度」とは、省電力輝度よりも高い輝度（例えば、１００％の輝度）であって、料金収受機１０が中断状態Ｃ３にある状態を維持しながらも、押しボタン２７への操作を介して簡易的に表示内容を確認したい場合等に適用される輝度である。
なお、料金収受機１０に設定されている現在の勤務状態が中断状態Ｃ３である場合には、ディスプレイ２１の輝度が省電力輝度である状態が“ディスプレイ２１の輝度が低い状態”（所定の第２の輝度）に該当し、ディスプレイの輝度が省電力輝度より高い表示輝度である状態が“ディスプレイ２１の輝度が高い状態”（所定の第１の輝度）に該当する。例えば、省電力輝度が１０％の輝度である場合には、表示輝度は省電力輝度よりも高い１００％の輝度に予め定められていてよい。
【００５２】
ディスプレイ輝度変更部４６は、第２の輝度変更指示が入力される度に、表示部２０の電源２２からディスプレイ２１のバックライトに供給される電力を制御し、ディスプレイ２１を点灯状態及び消灯状態の間で切替える。
具体的には、ディスプレイ輝度変更部４６は、料金収受機１０に設定されている現在の勤務状態が作業中状態Ｃ２である場合においては、第２の輝度変更指示が入力される度に、ディスプレイ２１を標準輝度（１００％）で点灯している状態（点灯状態）と消灯状態との間で切替える。
【００５３】
同様に、ディスプレイ輝度変更部４６は、料金収受機１０に設定されている現在の勤務状態が中断状態Ｃ３である場合においては、第２の輝度変更指示が入力される度に、ディスプレイ２１が省電力輝度（１０％）で点灯している状態（点灯状態）と消灯状態との間で切替える。
【００５４】
（第１の実施形態に係る料金収受機を用いた勤務状態）
図４は、第１の実施形態に係る料金収受機１０を用いた収受員Ｍの勤務状態を説明する説明図である。図４を用いて料金収受機１０に設定され得る３パターンの収受員Ｍの勤務状態を説明する。図４に示すように、収受員Ｍの勤務状態は、停止状態Ｃ１、作業中状態Ｃ２、及び中断状態Ｃ３からなる。
【００５５】
料金収受機１０に設定され得る収受員Ｍの勤務状態の１つである停止状態Ｃ１は、料金収受機１０のディスプレイ２１の電源２２がＯＦＦの状態を示す。料金収受機１０が停止状態Ｃ１に設定されている場合には、収受員Ｍは料金収受機１０を用いた料金収受処理を行うことはできない。例えば、料金所施設１の電源工事を行う場合等に、料金収受機１０に停止状態Ｃ１が設定されてよい。料金収受機１０が停止状態Ｃ１に設定されている場合には、収受員Ｍが料金収受機１０からログアウトしている状態である。従って、料金収受処理を行う収受員Ｍが交代する場合にも料金収受機１０に停止状態Ｃ１が設定されてよい。例えば、それまで勤務していた収受員Ｍが勤務から外れる際に料金収受機１０に停止状態Ｃ１を設定し、次の収受員Ｍに引き渡される。
【００５６】
料金収受機１０に設定され得る収受員Ｍの勤務状態の１つである作業中状態Ｃ２は、料金収受機１０のディスプレイ２１の電源２２がＯＮで収受員Ｍが料金収受処理を行う状態を示す。料金収受機１０が作業中状態Ｃ２に設定されている場合には、収受員Ｍは料金収受機１０を用いた料金収受処理を行うことができる。例えば、収受員Ｍが料金収受機１０を用いた料金収受処理を行う場合に、料金収受機１０に作業中状態Ｃ２が設定される。
【００５７】
料金収受機１０に設定され得る収受員Ｍの勤務状態の１つである中断状態Ｃ３は、料金収受機１０のディスプレイ２１の電源２２がＯＮで収受員Ｍが料金収受処理を行わない状態を示す。料金収受機１０が中断状態Ｃ３に設定されている場合には、収受員Ｍは料金収受機１０を用いた料金収受処理を行うことができないが、収受員Ｍが料金収受機１０にログインした状態は維持されている。従って、例えば、料金収受機１０を用いた料金収受処理を行っている収受員Ｍが休憩等で料金収受機１０から一時的に離席する場合等に、料金収受機１０に中断状態Ｃ３が設定されてよい。また、ＥＴＣが適用された車線に料金所ブース７及び料金収受機１０が設置されている場合において、当該車線でＥＴＣによる料金収受処理が正常に行われている間は、料金収受機１０が中断状態Ｃ３に設定される。そして、例えば、ＥＴＣが適用された車線を通過する車両Ａが正常に通行できないトラブルが発生した場合等に、収受員Ｍが料金所ブース７に入って料金収受機１０を作業中状態Ｃ２に設定変更し、料金収受処理、即ち、トラブル対応を行う。
【００５８】
なお、図４に示すように、３パターンの収受員Ｍの勤務状態は、設定変更されることにより互いの間で遷移する。例えば、収受員Ｍが料金収受機１０を用いた料金収受処理を開始する場合に停止状態Ｃ１から作業中状態Ｃ２に設定変更され（遷移ＴＲ１）、逆に、収受員Ｍが料金収受機１０を用いた料金収受処理を終了する場合に作業中状態Ｃ２から停止状態Ｃ１に設定変更される（遷移ＴＲ２）。また、例えば、上述したように、料金収受機１０を用いた料金収受処理を行っている収受員Ｍが休憩等で離席する場合に作業中状態Ｃ２から中断状態Ｃ３に設定変更され（遷移ＴＲ３）、逆に、収受員Ｍが休憩等から戻り料金収受機１０を用いた料金収受処理を再開する場合に中断状態Ｃ３から作業中状態Ｃ２に設定変更される（遷移ＴＲ４）。さらに、例えば、収受員Ｍがいない状態のＥＴＣの料金所ブース７の料金収受機１０を直接的に終了する場合には、中断状態Ｃ３から停止状態Ｃ１に設定変更され（遷移ＴＲ５）、逆に収受員Ｍがいない状態でＥＴＣの料金所ブース７の料金収受機１０を直接的に開始する場合には、停止状態Ｃ１から中断状態Ｃ３に設定変更される（遷移ＴＲ６）。
【００５９】
（第１の実施形態に係る料金収受機の輝度設定動作の処理フロー）
図６は、第１の実施形態に係る料金収受機１０の輝度設定動作を示すフローチャートである。また、図７Ａ〜７Ｃは、第１の実施形態に係る料金収受機１０の一勤務状態における状況を各々説明するための図である。図６及び７Ａ〜７Ｃを用いて第１の実施形態に係る料金収受機１０の輝度設定動作を説明する。なお、図６に示すフローチャートでは、図４を用いて説明した停止状態Ｃ１から中断状態Ｃ３に設定変更されるケース（遷移ＴＲ６）は非常に稀である為、処理フローから除外されている。
【００６０】
例えば、収受員Ｍが料金所ブース７内で料金収受処理を開始する場合に、図６に示すフローチャートの処理が開始されてよい。図６に示すフローチャートの処理が開始される初期状態では、料金収受機１０が停止状態Ｃ１に設定されている。また、料金収受機１０の主電源（図示せず）がＯＮになっている。
【００６１】
料金収受機１０が停止状態Ｃ１に設定されている初期状態では、電源２２は、ＯＦＦの状態になっている。従って、図７Ａに示すように、ディスプレイ２１のバックライトには電力が供給されておらず、ディスプレイ２１は消灯状態となっている。操作パネル２３の上部に設けられた第１の勤務状態表示灯２４及び第２の勤務状態表示灯２５は、料金収受機１０の制御部４０（ディスプレイ輝度設定部４４）により制御され、共に消灯している。また、図７Ａに示すように、ロータリースイッチ２６のつまみの棒線状の印の位置は、棒線状の印が鉛直方向に対して左側に４５度傾いている停止位置になっている。
【００６２】
図６に示すフローチャートの処理が開始されると、料金収受機１０の制御部４０の勤務状態入力受付部４３は、収受員Ｍの勤務状態として作業中状態Ｃ２が入力されるのを待つ状態になる（ステップＳ１０１）。例えば、収受員Ｍが料金所ブース７内で料金収受処理を開始する場合には、以下のようにして作業中状態Ｃ２が入力される。
【００６３】
まず、収受員Ｍは、料金所ブース７内で料金収受処理を開始する為に、図２に示すように、自身に関連付けられたＩＣカード５１をＩＣカードリーダ５０に接触させ、料金収受機１０にログインする。また、収受員Ｍは、料金収受処理を行う為に料金所ブース７内の必要な領収書発行機（図示せず）及び車両台数計測器（図示せず）等を起動させる等の開始準備を必要に応じて行ってよい。
【００６４】
次に、収受員Ｍは、操作パネル２３のロータリースイッチ２６のつまみを右に回転させ、図７Ｂに示すように、棒線状の印の位置を鉛直方向に平行な作業中位置に合わせる。これにより、収受員Ｍの勤務状態として作業中状態Ｃ２がロータリースイッチ２６から料金収受機１０の制御部４０の勤務状態入力受付部４３に入力され（ステップＳ１０１のＹＥＳ）、料金収受機１０の勤務状態が作業中状態Ｃ２に設定される。
【００６５】
勤務状態入力受付部４３は、受け付けた作業中状態Ｃ２をディスプレイ輝度設定部４４に入力する。また、勤務状態入力受付部４３は、受け付けた作業中状態Ｃ２を制御情報記憶部４１に記憶させてよい。なお、図６に示すフローチャートに示すように、料金収受機１０に作業中状態Ｃ２が入力されるまでは、処理がステップＳ１０１に戻り（ステップＳ１０１のＮＯ）、ステップＳ１０１の処理が繰返される。
【００６６】
ディスプレイ輝度設定部４４は、勤務状態入力受付部４３から作業中状態Ｃ２が入力されると、電源２２をＯＮ状態に切替える。これにより、ディスプレイ２１に電力が供給され、点灯している状態となる。次に、ディスプレイ輝度設定部４４は、図７Ｂに示すように、表示部２０の電源２２からディスプレイ２１のバックライトに供給される電力を制御し、ディスプレイ２１の輝度を視認可能な標準輝度に設定する（ステップＳ１０２）。第１の実施形態では、ディスプレイ２１の輝度が、例えば、標準輝度として１００％の輝度に設定されてよい。また、図７Ｂに示すように、ディスプレイ輝度設定部４４は、作業中状態Ｃ２が入力されると、操作パネル２３の第１の勤務状態表示灯２４及び第２の勤務状態表示灯２５を制御し、第１の勤務状態表示灯２４が消灯し、第２の勤務状態表示灯２５が青色に点灯している状態にする。
【００６７】
料金所ブース７内の収受員Ｍは、上述したように料金収受機１０に勤務状態として作業中状態Ｃ２が設定された状態で、料金所ブース７の真横に一時停止している車両Ａの利用者から、高速道路等の有料道路の利用料金を収受する料金収受処理を行う。例えば、収受員Ｍは料金収受処理として、車線制御装置（図示せず）を介して撮影装置５から入力されて料金収受機１０のディスプレイ２１に表示される車両Ａの画像等に基づき、料金収受機１０の操作部３０に設けられた複数の車種ボタン（図示せず）の中から車両Ａの車種に該当する車種ボタン（図示せず）を押下する等、操作部３０を用いて料金収受処理の操作の入力を行ってよい。その他、料金所ブース７内の収受員Ｍは、必要に応じて、料金所ブース７内の領収書発行機（図示せず）等を用いて料金収受処理を行ってよい。
【００６８】
図６に示すように、ステップＳ１０２の処理後、料金収受機１０の制御部４０の勤務状態入力受付部４３は、収受員Ｍの勤務状態として中断状態Ｃ３又は停止状態Ｃ１が入力されるのを待つ状態（ステップＳ１０３、ステップＳ１０６）になる。以下では、まず、中断状態Ｃ３が入力された場合について説明する。
【００６９】
料金収受処理を行っている料金所ブース７内の収受員Ｍが、例えば、休憩等で離席する場合には、収受員Ｍは、操作パネル２３のロータリースイッチ２６のつまみを右に回転させ、図７Ｃに示すように、棒線状の印の位置を鉛直方向に対して右側に４５度傾いている中断位置に合わせる。これにより、収受員Ｍの勤務状態として中断状態Ｃ３がロータリースイッチ２６から料金収受機１０の制御部４０の勤務状態入力受付部４３に入力され（ステップＳ１０３のＹＥＳ）、料金収受機１０の勤務状態が中断状態Ｃ３に設定される。
【００７０】
勤務状態入力受付部４３は、受け付けた中断状態Ｃ３をディスプレイ輝度設定部４４に入力する。また、勤務状態入力受付部４３は、受け付けた中断状態Ｃ３を制御情報記憶部４１に記憶させてよい。ディスプレイ輝度設定部４４は、勤務状態入力受付部４３から中断状態Ｃ３が入力されると、図７Ｃに示すように、表示部２０の電源２２からディスプレイ２１のバックライトに供給される電力を制御し、ディスプレイ２１の輝度を標準輝度よりも低い省電力輝度に設定する（ステップＳ１０４）。即ち、標準輝度（１００％）に設定されていたディスプレイ２１の輝度は、標準輝度よりも低い省電力輝度に設定される。第１の実施形態では、例えば、省電力輝度は１０％の輝度に設定されてよい。また、図７Ｃに示すように、ディスプレイ輝度設定部４４は、中断状態Ｃ３が入力されると、操作パネル２３の第１の勤務状態表示灯２４及び第２の勤務状態表示灯２５を制御し、第１の勤務状態表示灯２４が赤色に点灯し、第２の勤務状態表示灯２５が消灯している状態にする。
【００７１】
さらに、ディスプレイ輝度設定部４４は、勤務状態入力受付部４３から中断状態Ｃ３が入力されると、図５に示すように、ディスプレイ２１に現在の勤務状態が作業中断状態であることを示すメッセージを表示させる（ステップＳ１０５）。第１の実施形態では、ディスプレイ輝度設定部４４は、「作業中断中」というメッセージをディスプレイ２１の画面に大きく表示させる。また、ディスプレイ輝度設定部４４は、中断状態Ｃ３が入力されてから５秒間の間だけ、このメッセージを表示する。なお、メッセージの形態、内容、及び表示時間等は、収受員Ｍの注意を充分に喚起できる範囲で任意に決定されてよい。
なお、第１の実施形態では、省電力輝度に設定された状態で「作業中断中」なるメッセージを表示させる態様としたが、この場合、省電力輝度が低い場合、当該メッセージが視認されにくいことが想定される。そこで、他の実施形態に係るディスプレイ輝度設定部４４は、中断状態Ｃ３が入力されてからメッセージが表示されている間は、標準輝度を維持するようにしてもよい。
【００７２】
一方、図６に示すフローチャートに示すように、料金収受機１０に中断状態Ｃ３が入力されていない場合（ステップＳ１０３のＮＯ）には、処理がステップＳ１０６に進み、料金収受機１０に停止状態Ｃ１及び電源断指示が入力されたか否かが判定される（ステップＳ１０６）。例えば、停止状態Ｃ１及び電源断指示は以下のようにして入力される。
【００７３】
例えば、料金収受処理を行っている料金所ブース７内の収受員Ｍの勤務時間が終了した場合には、収受員Ｍは、操作パネル２３のロータリースイッチ２６のつまみを左に回転させ、図７Ａに示すように、棒線状の印の位置を鉛直方向に対して左側に４５度傾いている停止位置に合わせる。これにより、収受員Ｍの勤務状態として停止状態Ｃ１がロータリースイッチ２６から料金収受機１０の制御部４０の勤務状態入力受付部４３に入力され、この停止状態Ｃ１が勤務状態入力受付部４３からディスプレイ輝度設定部４４に入力される。さらに、収受員Ｍは、操作パネル２３の押しボタン２７を短押しする。これにより、押しボタン２７から輝度変更指示入力受付部４５に電源断指示が入力され、この電源断指示が輝度変更指示入力受付部４５からディスプレイ輝度設定部４４に入力される。なお、勤務状態入力受付部４３は、受け付けた停止状態Ｃ１を制御情報記憶部４１に記憶させてよい。同様に、輝度変更指示入力受付部４５は、電源断指示を制御情報記憶部４１に記憶させてよい。
【００７４】
ディスプレイ輝度設定部４４は、上述したように停止状態Ｃ１が入力され、且つ電源断指示が入力された場合（ステップＳ１０６のＹＥＳ）には、電源２２をＯＦＦの状態に切替えるように制御する。以上により、料金収受機１０に勤務状態として停止状態Ｃ１が設定されて図６に示すフローチャートの初期状態に戻り、処理はステップＳ１０１に戻る。一方、料金収受機１０に勤務状態として停止状態Ｃ１が設定されない場合、即ち、停止状態Ｃ１及び電源断指示のうち、少なくとも一方が入力されていない場合（ステップＳ１０６のＮＯ）には、処理はステップＳ１０３に戻る。
【００７５】
図６に示すフローチャートに示すように、料金収受機１０に中断状態Ｃ３が入力された場合（ステップＳ１０３のＹＥＳ）には、上述したように、ステップＳ１０４及びステップＳ１０５の処理後、料金収受機１０の制御部４０の勤務状態入力受付部４３は、収受員Ｍの勤務状態として作業中状態Ｃ２又は停止状態Ｃ１が入力されるのを待つ状態（ステップＳ１０７、ステップＳ１０８）になる。以下では、まず、作業中状態Ｃ２が入力された場合について説明する。
【００７６】
例えば、休憩等で離席していた収受員Ｍが料金所ブース７内に戻り、料金収受処理を再開する場合には、料金収受機１０が中断状態Ｃ３から作業中状態Ｃ２に設定変更される。具体的には、収受員Ｍは、操作パネル２３のロータリースイッチ２６のつまみを左に回転させ、図７Ｂに示すように、棒線状の印の位置を鉛直方向に平行な作業中位置に合わせる。これにより、収受員Ｍの勤務状態として作業中状態Ｃ２がロータリースイッチ２６から料金収受機１０の制御部４０の勤務状態入力受付部４３に入力され（ステップＳ１０７のＹＥＳ）、料金収受機１０の勤務状態が作業中状態Ｃ２に設定される。図６に示すように、処理はステップＳ１０２に進む。ディスプレイ輝度設定部４４は、図７Ｂに示すように、表示部２０の電源２２からディスプレイ２１のバックライトに供給される電力を制御し、ディスプレイ２１の輝度を視認可能な標準輝度に設定する（ステップＳ１０２）。即ち、省電力輝度（１０％）に設定されていたディスプレイ２１の輝度は、標準輝度（１００％）に設定される。
【００７７】
作業中状態Ｃ２が勤務状態入力受付部４３に入力されていない場合（ステップＳ１０７のＮＯ）、即ち、料金収受機１０が中断状態Ｃ３から作業中状態Ｃ２に設定変更されない場合には、処理はステップＳ１０８に進み、料金収受機１０に停止状態Ｃ１及び電源断指示が入力されたか否かが判定される（ステップＳ１０８）。例えば、停止状態Ｃ１及び電源断指示は以下のようにして入力される。
【００７８】
例えば、休憩等で離席していた収受員Ｍが料金所ブース７内に戻り、料金収受処理を終了する場合には、料金収受機１０が中断状態Ｃ３に設定されている状態から停止状態Ｃ１に設定変更される。具体的には、収受員Ｍは、操作パネル２３のロータリースイッチ２６のつまみを左に回転させ、図７Ａに示すように、棒線状の印の位置を鉛直方向に対して左側に４５度傾いている停止位置に合わせる。これにより、収受員Ｍの勤務状態として停止状態Ｃ１がロータリースイッチ２６から料金収受機１０の制御部４０の勤務状態入力受付部４３に入力され、この停止状態Ｃ１が勤務状態入力受付部４３からディスプレイ輝度設定部４４に入力される。さらに、収受員Ｍは、操作パネル２３の押しボタン２７を短押しする。これにより、押しボタン２７から輝度変更指示入力受付部４５に電源断指示が入力され、この電源断指示が輝度変更指示入力受付部４５からディスプレイ輝度設定部４４に入力される。なお、勤務状態入力受付部４３は、受け付けた停止状態Ｃ１を制御情報記憶部４１に記憶させてよい。同様に、輝度変更指示入力受付部４５は、電源断指示を制御情報記憶部４１に記憶させてよい。
【００７９】
ディスプレイ輝度設定部４４は、上述したように停止状態Ｃ１が入力され、且つ電源断指示が入力された場合（ステップＳ１０８のＹＥＳ）には、電源２２をＯＦＦの状態に切替えるように制御する。以上により、料金収受機１０に停止状態Ｃ１が設定されて図６に示すフローチャートの初期状態に戻り、処理はステップＳ１０１に戻る。一方、料金収受機１０に勤務状態として停止状態Ｃ１が設定されない場合、即ち、停止状態Ｃ１及び電源断指示のうち、少なくとも一方が入力されていない場合（ステップＳ１０８のＮＯ）には、処理はステップＳ１０７に戻る。
【００８０】
（作用、効果）
以上のとおり、第１の実施形態に係る料金収受機１０において、ディスプレイ輝度設定部４４は、勤務状態として作業中状態Ｃ２が入力されると、ディスプレイ２１の輝度を視認可能な標準輝度に設定し、勤務状態として中断状態Ｃ３が入力されると、ディスプレイ２１の輝度を標準輝度よりも低い省電力輝度に設定する。
このように例えば収受員Ｍが休憩等で料金収受機１０から離席し、料金収受機１０が中断状態Ｃ３に設定される間、ディスプレイ２１の輝度を、料金収受処理を行う際の視認可能な輝度である標準輝度よりも低い省電力輝度に設定することで、料金収受機１０の不要な電力消費と、ディスプレイ２１のバックライト等の寿命の短命化とを防止できる。特に、ＥＴＣが適用された車線等に設けられた料金所ブース７内の料金収受機１０等のように、長時間、中断状態Ｃ３に設定される場合において、効果的に料金収受機１０の消費電力を低減し、ディスプレイ２１のバックライト等の寿命を延ばすことができる。
【００８１】
さらに、第１の実施形態に係る料金収受機１０において、ディスプレイ輝度設定部４４は、勤務状態として中断状態Ｃ３が入力されると、ディスプレイ２１にメッセージを表示させる。
このようにすることで、収受員Ｍが料金収受機１０を中断状態Ｃ３に設定した場合に、料金収受機１０が中断状態Ｃ３に設定変更されたことを容易に確認できる。特に、収受員Ｍが休憩等で離席する場合には、料金収受機１０を中断状態Ｃ３に設定し損なう事態や設定し忘れてしまう事態を防止することができる。さらに、ディスプレイ２１にメッセージとして表示させるので、料金収受機１０の設定変更を収受員Ｍが瞬時に判断することができる。
【００８２】
＜第１の実施形態の第１の変形実施例＞
図８は、第１の実施形態の第１の変形実施例に係る料金収受機１０の動作を説明する説明図である。図８を用いて、第１の実施形態の第１の変形実施例に係る料金収受機１０を説明する。
【００８３】
図８に示す第１の実施形態の第１の変形実施例に係る料金収受機１０は、第１の実施形態に係る料金収受機１０と同じ構成であり、特に言及する場合を除き、料金収受機１０の各動作も同様であるので説明は省略する。図８に示す第１の実施形態の第１の変形実施例に係る料金収受機１０は、図６に示す輝度設定動作のフローチャートにおいて、ステップＳ１０５の動作だけが異なっている。即ち、図８に示す第１の実施形態の第１の変形実施例に係る料金収受機１０では、ディスプレイ輝度設定部４４は、勤務状態として中断状態Ｃ３が入力されると、ディスプレイ２１にメッセージを表示させる代わりに、図８に示すように、ディスプレイ２１の輝度を時間経過と共に段階的に低くして最終的に省電力輝度に設定する。例えば、ディスプレイ２１の輝度を標準輝度である１００％の輝度から、毎秒１０％ずつ輝度を段階的に低くして９秒かけて最終的に省電力輝度である１０％の輝度に設定してよい。ディスプレイ２１の輝度を標準輝度から時間経過と共に段階的に低くして最終的に省電力輝度に設定できるのであれば、任意の輝度の変化速度で輝度を低くしてよい。
【００８４】
（作用、効果）
以上のとおり、第１の実施形態の第１の変形実施例に係る料金収受機１０において、ディスプレイ輝度設定部４４は、勤務状態として中断状態Ｃ３が入力されると、ディスプレイ２１の輝度を時間経過と共に段階的に低くして最終的に省電力輝度に設定する。
このようにすることで、収受員Ｍが料金収受機１０を中断状態Ｃ３に設定した場合に、ディスプレイ２１の段階的な輝度の低下を視認可能となり、料金収受機１０が中断状態Ｃ３に設定変更されたことを容易に確認できる。特に、収受員Ｍが休憩等で離席する場合には、料金収受機１０を中断状態Ｃ３に設定し損なう事態や設定し忘れてしまう事態を防止することができる。
【００８５】
＜第１の実施形態の第２の変形実施例＞
図９は、第１の実施形態の第２の変形実施例に係る料金収受機１０の輝度変更動作を説明するフローチャートである。図９を用いて、第１の実施形態の第２の変形実施例に係る料金収受機１０の輝度変更動作を説明する。
【００８６】
図９に示す第１の実施形態の第２の変形実施例に係る料金収受機１０は、第１の実施形態に係る料金収受機１０と同じ構成であり、特に言及する場合を除き、料金収受機１０の各動作も同様であるので説明は省略する。第１の実施形態の第２の変形実施例に係る料金収受機１０は、図３に示すように、ディスプレイ２１の輝度の変更を指示する輝度変更指示の入力を、操作パネル２３を通じて受け付ける輝度変更指示入力受付部４５と、輝度変更指示に応じてディスプレイ２１の輝度を変更するディスプレイ輝度変更部４６と、を備えている。そして、ディスプレイ輝度変更部４６は、直前に入力された勤務状態が作業中状態Ｃ２又は中断状態Ｃ３である場合に、輝度変更指示入力受付部４５から輝度変更指示が入力されると、入力された輝度変更指示に応じてディスプレイ２１の輝度を変更するように構成されている。
【００８７】
第１の実施形態の第２の変形実施例に係る料金収受機１０は、図６に示す輝度設定動作のフローチャートに加えて、料金収受機１０が作業中状態Ｃ２又は中断状態Ｃ３に設定されている場合に図９に示す輝度変更動作を行う。即ち、料金収受機１０が作業中状態Ｃ２又は中断状態Ｃ３に設定されると図９に示すフローチャートが開始されてよい。
【００８８】
例えば、直前に入力された勤務状態が作業中状態Ｃ２で料金収受機１０が作業中状態Ｃ２に設定されて図９に示すフローチャートが開始された場合について説明する。まず、ディスプレイ２１の輝度の高低を切替える第１の輝度変更指示が輝度変更指示入力受付部４５に入力されたか否かが判定される（ステップＳ２０１）。収受員Ｍが操作パネル２３の押しボタン２７を短押しするとディスプレイ２１の輝度の高低を切替える第１の輝度変更指示が、押しボタン２７から輝度変更指示入力受付部４５に入力されて受け付けられる（ステップＳ２０１のＹＥＳ）。
【００８９】
受け付けられた第１の輝度変更指示が輝度変更指示入力受付部４５からディスプレイ輝度変更部４６に入力されると、ディスプレイ輝度変更部４６はディスプレイ２１の輝度の高低を切替える（ステップＳ２０２）。即ち、ディスプレイ輝度変更部４６は、ディスプレイ２１の輝度を所定の第１の輝度及び第１の輝度よりも低い所定の第２の輝度の間で切替える。料金収受機１０が作業中状態Ｃ２に設定された直後は、図６のステップＳ１０２に示すようにディスプレイ２１の輝度は標準輝度に設定されており、この標準輝度が所定の第１の輝度に該当する。従って、ディスプレイ輝度変更部４６は、ディスプレイ２１の輝度を、所定の第１の輝度としての標準輝度から所定の第２の輝度としての待機輝度に切替える。第２の輝度としての待機輝度は、例えば、第１の輝度としての標準輝度が１００％の輝度であれば、１０％の輝度等、１００％よりも低い輝度に予め定められてよい。
【００９０】
同様にして、以後、図９に示すフローチャートにて、ステップＳ２０２の処理が行われる度に、ディスプレイ輝度変更部４６は、ディスプレイ２１の輝度を、第１の輝度に該当する標準輝度と第２の輝度に該当する待機輝度との間で切替える。なお、ディスプレイ輝度変更部４６は、ディスプレイ２１の輝度を第１の輝度から第２の輝度である待機輝度に切替える際に、例えば、制御情報記憶部４１に第１の輝度の値を記憶しておいてよい。これにより、以後、ステップＳ２０２の処理でディスプレイ２１の輝度を、第２の輝度から第１の輝度に切替える際には、ディスプレイ輝度変更部４６が制御情報記憶部４１を参照し、記憶している輝度の値に基づいて、ディスプレイ２１の輝度を元通りに第１の輝度に切替えることができる。
【００９１】
上述したようにディスプレイ輝度変更部４６がディスプレイ２１の輝度の高低を切替える（ステップＳ２０２）と、処理は次のステップＳ２０３に進む。また、第１の輝度変更指示が、輝度変更指示入力受付部４５に入力されていない場合（ステップＳ２０１のＮＯ）にも、処理は次のステップＳ２０３に進む。ステップＳ２０３では、ディスプレイ２１の点灯及び消灯を切替える第２の輝度変更指示が輝度変更指示入力受付部４５に入力されたか否かが判定される（ステップＳ２０３）。
【００９２】
収受員Ｍが操作パネル２３の押しボタン２７を長押しするとディスプレイ２１の点灯及び消灯を切替える第２の輝度変更指示が、押しボタン２７から輝度変更指示入力受付部４５に入力されて受け付けられる（ステップＳ２０３のＹＥＳ）。受け付けられた第２の輝度変更指示が輝度変更指示入力受付部４５からディスプレイ輝度変更部４６に入力されると、ディスプレイ輝度変更部４６はディスプレイ２１の点灯及び消灯を切替える（ステップＳ２０４）。直前に入力された勤務状態が作業中状態Ｃ２又は中断状態Ｃ３である場合には、ディスプレイ２１が点灯状態に設定されている。従って、ディスプレイ輝度変更部４６は、ディスプレイ２１を消灯状態に切替える。
【００９３】
同様にして、以後、図９に示すフローチャートにて、ステップＳ２０４の処理が行われる度に、ディスプレイ輝度変更部４６は、ディスプレイ２１を点灯状態と消灯状態との間で切替える。なお、ディスプレイ輝度変更部４６は、ディスプレイ２１を点灯状態から消灯状態に切替える際に、例えば、制御情報記憶部４１に点灯状態に該当する輝度の値を記憶しておいてよい。これにより、以後、ステップＳ２０４の処理でディスプレイ２１を消灯状態から点灯状態に切替える際には、ディスプレイ輝度変更部４６は、制御情報記憶部４１を参照し、記憶している輝度の値に基づいて、ディスプレイ２１を元通りに点灯状態に切替えることができる。
【００９４】
上述したようにディスプレイ輝度変更部４６がディスプレイ２１の点灯及び消灯を切替える（ステップＳ２０４）と、処理は次のステップＳ２０５に進む。また、第２の輝度変更指示が、輝度変更指示入力受付部４５に入力されていない場合（ステップＳ２０３のＮＯ）にも、処理は次のステップＳ２０５に進む。
【００９５】
料金収受機１０が作業中状態Ｃ２又は中断状態Ｃ３に設定されている場合（ステップＳ２０５のＹＥＳ）には、処理はステップＳ２０１に戻って繰返される。一方、料金収受機１０が作業中状態Ｃ２又は中断状態Ｃ３に設定されていない場合（ステップＳ２０５のＮＯ）には、図９に示す処理は終了する。
【００９６】
なお、直前に入力された勤務状態が作業中状態Ｃ２である場合には、上述したように、料金収受機１０が作業中状態Ｃ２に設定された直後は、ディスプレイ２１の輝度はディスプレイ２１の輝度が第１の輝度に該当する標準輝度に設定されている。これに対し、直前に入力された勤務状態が中断状態Ｃ３である場合には、図６のステップＳ１０４に示すように料金収受機１０が中断状態Ｃ３に設定された直後は、ディスプレイ２１の輝度は第２の輝度に該当する省電力輝度に設定されている。従って、ディスプレイ輝度変更部４６は、料金収受機１０が中断状態Ｃ３に設定された直後は、ディスプレイ２１の輝度を所定の第２の輝度としての省電力輝度から第１の輝度に該当する表示輝度に切替える。
【００９７】
第１の輝度に該当する表示輝度は、第２の輝度に該当する省電力輝度よりも高い輝度として予め定められてよい。例えば、第２の輝度としての省電力輝度が１０％の輝度であれば、１００％の輝度等、１０％よりも高い輝度に予め定められてよい。また、ディスプレイ輝度変更部４６は、ディスプレイ２１の輝度を第２の輝度から第１の輝度に切替える際に、例えば、制御情報記憶部４１に第２の輝度の値を記憶しておいてよい。これにより、以後、ステップＳ２０２の処理でディスプレイ２１の輝度を第１の輝度から第２の輝度に切替える際には、ディスプレイ輝度変更部４６が制御情報記憶部４１を参照し、記憶している輝度の値に基づいて、ディスプレイ２１の輝度を元通りに第２の輝度に切替えることができる。
【００９８】
（作用、効果）
以上のとおり、第１の実施形態の第２の変形実施例に係る料金収受機１０において、ディスプレイ輝度変更部４６は、直前に入力された勤務状態が作業中状態Ｃ２又は中断状態Ｃ３である場合に、輝度変更指示が入力されると、入力された輝度変更指示に応じてディスプレイ２１の輝度を変更する。
このようにすることで、収受員Ｍが料金収受機１０を作業中状態Ｃ２又は中断状態Ｃ３に設定し、ディスプレイ２１の輝度が標準輝度又は省電力輝度に設定された後に、状況に応じてさらにディスプレイ２１の輝度を変更することができる。
【００９９】
また、以上のとおり、第１の実施形態の第２の変形実施例に係る料金収受機１０において、ディスプレイ輝度変更部４６は、ディスプレイ２１の輝度の高低を切替える第１の輝度変更指示が輝度変更指示として入力される度に、ディスプレイ２１の輝度を所定の第１の輝度及び第１の輝度よりも低い所定の第２の輝度の間で切替える。また、第１の実施形態の第２の変形実施例に係る料金収受機１０において、ディスプレイ輝度変更部４６は、ディスプレイ２１の点灯及び消灯を切替える第２の輝度変更指示が輝度変更指示として入力される度に、ディスプレイ２１を点灯状態及び消灯状態の間で切替える。
このようにすることで、収受員Ｍが料金収受機１０を作業中状態Ｃ２又は中断状態Ｃ３に設定し、ディスプレイ２１の輝度が標準輝度又は省電力輝度に設定された後に、状況に応じてさらにディスプレイ２１の輝度を変更することができる。特に、ディスプレイ２１の輝度を変更する際に、輝度の高低を切替えることにより輝度の変更を行っているので、より短時間且つより容易に輝度の変更が可能である。さらに、ディスプレイ２１の輝度の高低の切替えと、ディスプレイ２１の点灯及び消灯の切替えとの両方を行うことができる為、状況に応じてさらに細かくディスプレイ２１の輝度を変更することができる。
【０１００】
以上、図面を参照して一実施形態について詳しく説明してきたが、具体的な構成は上述のものに限られることはなく、様々な設計変更等をすることが可能である。例えば、上述したいずれの実施形態においても、料金収受機１０は、ディスプレイ２１と操作パネル２３とが一体型である場合について説明してきたが、ディスプレイ２１と操作パネル２３とが分離していてもよい。また、料金収受機１０が、料金収受機１０に設定されている収受員Ｍの勤務状態を示す２つの勤務状態表示灯（第１の勤務状態表示灯２４、第２の勤務状態表示灯２５）を備える場合について説明してきたが、収受員Ｍの勤務状態を示す勤務状態表示灯の数は、２以外の数、例えば、１又は３以上であってもよい。さらに、料金収受機１０は、料金収受機１０に設定されている収受員Ｍの勤務状態を示す勤務状態表示装置として、勤務状態表示灯の代わりに、バックライトを用いないインジケータ等のその他の表示装置を備えていてよい。
【０１０１】
また、上述したいずれの実施形態においても、料金収受機１０が、料金収受機１０に設定されている収受員Ｍの勤務状態を切替える入力装置としてロータリースイッチ２６を備える場合について説明してきたが、入力装置は、押しボタン、レバー等のその他の入力装置であってよい。また、上述したいずれの実施形態においても、料金収受機１０が、輝度変更指示入力受付部４５に輝度変更指示を入力する入力装置として押しボタン２７を備える場合について説明してきたが、入力装置は、レバー、ロータリースイッチ等のその他の入力装置であってよい。
【０１０２】
また、上述した第１の実施形態の第１の変形実施例に係る料金収受機１０は、図６に示す輝度設定動作のフローチャートにおいて、ステップＳ１０５の動作が第１の実施形態に係る料金収受機１０と異なっている場合について説明したが、第１の実施形態の第１の変形実施例に係る料金収受機１０は、第１の実施形態に係る料金収受機１０のステップＳ１０５の動作を一緒に行ってもよい。即ち、ディスプレイ輝度設定部４４は、勤務状態として中断状態Ｃ３が入力されると、ディスプレイ２１にメッセージを表示させ、且つ、図８に示すように、ディスプレイ２１の輝度を時間経過と共に段階的に低くして最終的に省電力輝度に設定してよい。これにより、収受員が料金収受機を中断状態Ｃ３に設定した場合に、料金収受機が中断状態Ｃ３に設定変更されたことをさらに容易に確認できる。また、収受員が休憩等で離席する場合には、料金収受機を中断状態Ｃ３に設定し損なう事態や設定し忘れてしまう事態をさらに効果的に防止することができる。さらに、料金収受機の設定変更を収受員が瞬時に判断することができる効果が向上する。
【０１０３】
図１０は、少なくとも１つの実施形態に係るコンピュータの構成を示す概略ブロック図である。
コンピュータ９は、ＣＰＵ９１、主記憶装置９２、補助記憶装置９３、インタフェース９４を備える。
上述の料金収受機１０は、コンピュータ９を備える。そして、上述した各処理部の動作は、プログラムの形式で補助記憶装置９３に記憶されている。ＣＰＵ９１は、プログラムを補助記憶装置９３から読み出して主記憶装置９２に展開し、当該プログラムに従って上記処理を実行する。例えば、上述した料金収受処理部４２、勤務状態入力受付部４３、ディスプレイ輝度設定部４４、輝度変更指示入力受付部４５、及びディスプレイ輝度変更部４６は、ＣＰＵ９１であってよい。
また、ＣＰＵ９１は、プログラムに従って、上述した記憶部に対応する記憶領域を主記憶装置９２または補助記憶装置９３に確保する。例えば、上述した制御情報記憶部４１が、主記憶装置９２または補助記憶装置９３に確保されてよい。
【０１０４】
補助記憶装置９３の例としては、ＨＤＤ（Hard Disk Drive）、ＳＳＤ（Solid State Drive）、磁気ディスク、光磁気ディスク、ＣＤ−ＲＯＭ（Compact Disc Read Only Memory）、ＤＶＤ−ＲＯＭ（Digital Versatile Disc Read Only Memory）、半導体メモリ等が挙げられる。補助記憶装置９３は、コンピュータ９のバスに直接接続された内部メディアであってもよいし、インタフェース９４または通信回線を介してコンピュータ９に接続される外部メディアであってもよい。また、このプログラムが通信回線によってコンピュータ９に配信される場合、配信を受けたコンピュータ９が当該プログラムを主記憶装置９２に展開し、上記処理を実行してもよい。少なくとも１つの実施形態において、補助記憶装置９３は、一時的でない有形の記憶媒体である。
【０１０５】
また、当該プログラムは、前述した機能の一部を実現するためのものであってもよい。さらに、当該プログラムは、前述した機能を補助記憶装置９３に既に記憶されている他のプログラムとの組み合わせで実現するもの、いわゆる差分ファイル（差分プログラム）であってもよい。
【符号の説明】
【０１０６】
１  料金所施設
２  車両進入検知装置
２Ａ  投光器（車両進入検知装置）
２Ｂ  受光器（車両進入検知装置）
３  車両退出検知装置
３Ａ  投光器（車両退出検知装置）
３Ｂ  受光器（車両退出検知装置）
４  発進制御機
５  撮影装置
６  高台
７  料金所ブース
９  コンピュータ
１０  料金収受機
２０  表示部
２１  ディスプレイ
２２  電源
２３  操作パネル
２４  第１の勤務状態表示灯
２５  第２の勤務状態表示灯
２６  ロータリースイッチ
２７  押しボタン
３０  操作部
４０  制御部
４１  制御情報記憶部
４２  料金収受処理部
４３  勤務状態入力受付部
４４  ディスプレイ輝度設定部
４５  輝度変更指示入力受付部
４６  ディスプレイ輝度変更部
５０  ＩＣカードリーダ
５１  ＩＣカード
６０  外部電源
９１  ＣＰＵ
９２  主記憶装置
９３  補助記憶装置
９４  インタフェース
Ａ  車両
Ｃ１  停止状態
Ｃ２  作業中状態
Ｃ３  中断状態
ＴＲ１〜ＴＲ６  遷移
Ｆ  進行方向
Ｌ  車線
【図１】
2019121097.tif 000003
【図２】
2019121097.tif 000004
【図３】
2019121097.tif 000005
【図４】
2019121097.tif 000006
【図５】
2019121097.tif 000007
【図６】
2019121097.tif 000008
【図７Ａ】
2019121097.tif 000009
【図７Ｂ】
2019121097.tif 000010
【図７Ｃ】
2019121097.tif 000011
【図８】
2019121097.tif 000012
【図９】
2019121097.tif 000013
【図１０】
2019121097.tif 000014